(57)【要約】【課題】ストッパ部材を紛失してしまうのを抑制し、被噴出箇所に付着した付着物を直ちに除去する。【解決手段】往復ポンプ１７の可動部１６において操作レバー１４と非可動筒部１５との間に位置する中間部分に、操作レバー１４の後方に向けた移動を規制する割リング状のストッパ部材２０が着脱可能に嵌合され、このストッパ部材２０の外周面には、その径方向の外側に向けて板状のつまみ片２１が一対突設されるとともに、これらのつまみ片２１は各先端部が互いに接近離間するように形成され、カバー部１３には、可動部１６の前記中間部分から取り外したストッパ部材２０が保持される保持部１９が形成されている。【選択図】図１
2010082510.tif 000002
【特許請求の範囲】
【請求項１】
噴出器本体と、この噴出器本体の前端に設けられたノズルと、前記噴出器本体を覆うカバー部と、が備えられ、
前記噴出器本体は、その前部に前後方向に揺動可能に垂設された操作レバーと、操作レバーの後側に配置された非可動筒部、および操作レバーの前後動に伴って前記非可動筒部内を前後摺動させられる可動部を有する往復ポンプと、を備えるトリガー式液体噴出器であって、
前記可動部において操作レバーと非可動筒部との間に位置する中間部分に、操作レバーの後方に向けた移動を規制する割リング状のストッパ部材が着脱可能に嵌合され、
このストッパ部材の外周面には、その径方向の外側に向けて板状のつまみ片が一対突設されるとともに、これらのつまみ片は各先端部が互いに接近離間するように形成され、
前記カバー部には、可動部の前記中間部分から取り外したストッパ部材が保持される保持部が形成されていることを特徴とするトリガー式液体噴出器。
【請求項２】
請求項１記載のトリガー式液体噴出器であって、
前記つまみ片は、ストッパ部材の外周面において、その周方向で分断された分断部分に対して該ストッパ部材の中心軸を挟んだ反対側に設けられていることを特徴とするトリガー式液体噴出器。
【発明の詳細な説明】
【技術分野】
【０００１】
本発明は、トリガー式液体噴出器に関するものである。
【背景技術】
【０００２】
一般にトリガー式液体噴出器は、噴出器本体と、この噴出器本体の前端に設けられたノズルと、噴出器本体を覆うカバー部と、が備えられ、噴出器本体は、その前部に前後方向に揺動可能に垂設された操作レバーと、操作レバーの後側に配置された非可動筒部、および操作レバーの前後動に伴って非可動筒部内を前後摺動させられる可動部を有する往復ポンプと、を備えている。
そして近年では、操作レバーの誤操作によって内容液が不意にノズルから噴出するのを防ぐために、前記可動部において操作レバーと非可動筒部との間に位置する中間部分に、例えば下記特許文献１に示されるような、操作レバーの後方に向けた移動を規制する割リング状のストッパ部材を着脱可能に嵌合した構成が提案されている。
【特許文献１】特許第３２３０９９３号公報
【発明の開示】
【発明が解決しようとする課題】
【０００３】
しかしながら、前記従来のトリガー式液体噴出器では、使用時にストッパ部材を紛失し易いという問題があった。
また、内容液を噴出した後に、例えば壁面等の被噴出箇所にゴミや虫等が付着していてこれを除去する必要が生じた場合に、この付着物を手で直接触れることなく除去できる適当な道具を見つけるのに時間がかかり需要者に不便を感じさせることもあった。
【０００４】
本発明は、前述した事情に鑑みてなされたものであって、ストッパ部材を紛失してしまうのを抑制することが可能になるとともに、被噴出箇所に付着した付着物を直ちに除去することができるトリガー式液体噴出器を提供することを目的とする。
【課題を解決するための手段】
【０００５】
この課題を解決するために、本発明のトリガー式液体噴出器は、噴出器本体と、この噴出器本体の前端に設けられたノズルと、前記噴出器本体を覆うカバー部と、が備えられ、前記噴出器本体は、その前部に前後方向に揺動可能に垂設された操作レバーと、操作レバーの後側に配置された非可動筒部、および操作レバーの前後動に伴って前記非可動筒部内を前後摺動させられる可動部を有する往復ポンプと、を備えるトリガー式液体噴出器であって、前記可動部において操作レバーと非可動筒部との間に位置する中間部分に、操作レバーの後方に向けた移動を規制する割リング状のストッパ部材が着脱可能に嵌合され、このストッパ部材の外周面には、その径方向の外側に向けて板状のつまみ片が一対突設されるとともに、これらのつまみ片は各先端部が互いに接近離間するように形成され、前記カバー部には、可動部の前記中間部分から取り外したストッパ部材が保持される保持部が形成されていることを特徴とする。
【０００６】
この発明では、往復ポンプにおける可動部の前記中間部分に、操作レバーの後方に向けた移動を規制するストッパ部材が着脱可能に嵌合されているので、操作レバーに不意に加えられた外力によって往復ポンプが作動して内容液がノズルから噴出するのを防ぐことができる。
また、ストッパ部材が割リング状に形成されているので、ストッパ部材を可動部の前記中間部分に対して着脱する際に、ストッパ部材を弾性変形させ、該ストッパ部材において周方向で分断された分断部分を拡げることで、この着脱を容易に行うことができる。
さらに、カバー部に前記保持部が形成されているので、ストッパ部材を可動部の前記中間部分から取り外してこのトリガー式液体噴出器を使用しているときに、ストッパ部材を保持部に保持させることが可能になり、トリガー式液体噴出器の使用時にストッパ部材を紛失するのを防ぐことができる。
また、ストッパ部材の外周面につまみ片が一対突設されているので、内容液を噴出した後に、例えば壁面等の被噴出箇所にゴミや虫等の付着物が付着していてこれを除去する必要が生じた場合に、前記保持部からストッパ部材を取り外し、一対のつまみ片を指で摘んでそれぞれの先端部を互いに接近させて前記付着物を挟み込み、この付着物を除去することができる。したがって、内容液を噴出した後に、被噴出箇所に付着した付着物を直ちに除去することが可能になる。
【０００７】
ここで、前記つまみ片は、ストッパ部材の外周面において、その周方向で分断された分断部分に対して該ストッパ部材の中心軸を挟んだ反対側に設けられてもよい。
この場合、一対のつまみ片それぞれの先端部が互いに接近するように、指で一対のつまみ片を摘んだときに、ストッパ部材を前記分断部分の隙間が拡がるように弾性変形させ易くすることが可能になる。したがって、ストッパ部材を可動部の前記中間部分に対してより一層容易に着脱することができるとともに、付着物を容易かつ確実に挟み込むことができる。
【発明の効果】
【０００８】
本発明によれば、ストッパ部材を紛失してしまうのを抑制することが可能になるとともに、被噴出箇所に付着した付着物を直ちに除去することができる。
【発明を実施するための最良の形態】
【０００９】
以下、図面を参照し、この発明の第１実施形態について説明する。本実施形態に係るトリガー式液体噴出器１は、図１および図２に示されるように、噴出器本体１１と、この噴出器本体１１の前端に設けられたノズル１２と、噴出器本体１１を覆うカバー部１３と、を備えている。
噴出器本体１１は、その前部に前後方向に揺動可能に垂設された操作レバー１４と、操作レバー１４の後側に配置されたシリンダ（非可動筒部）１５、および操作レバー１４の前後動に伴ってシリンダ１５内を前後摺動させられるピストン（可動部）１６を有する往復ポンプ１７と、を備えている。
【００１０】
本実施形態では、操作レバー１４は、その上端部が、上下方向および前後方向の双方向に対して直交する左右方向に延びる軸線回りに回転可能に支持されることにより、前後方向に揺動可能に設けられている。ピストン１６は、その前部が、操作レバー１４の上部における後側に連結されることで、操作レバー１４に連動するようになっている。シリンダ１５は前方に向けて開口するように配設されている。
以上の構成において、操作レバー１４の前後動に伴って、ピストン１６の後部がシリンダ１５内を前後方向に摺動することで、シリンダ１５の内部が加圧および減圧されるようになっている。
【００１１】
また、本実施形態では、噴出器本体１１は、上下方向に延設され内部がシリンダ１５内および吸い上げパイプ１８内に連通した図示されない吸い上げ筒部と、吸い上げ筒部から前方に向けて延設され吸い上げ筒部内とノズル１２とを連通する図示されない射出筒部と、を備えている。
そして、前述のようにシリンダ１５の内部が加圧されたときに、このシリンダ１５内の内容液が前記吸い上げ筒部、および射出筒部をこの順に通過してノズル１２に到達し、外部に噴出されるようになっている。また、シリンダ１５の内部が減圧されたときに、図示されない容器本体内の内容液が吸い上げパイプ１８および前記吸い上げ筒部を通ってシリンダ１５の内部に進入するようになっている。
【００１２】
なお、カバー部１３内に位置する噴出器本体１１のうち最も後方に位置する前記吸い上げ筒部と、カバー部１３の後端壁１３ａにおける内面と、の間には、前後方向の隙間が設けられている。
また、シリンダ１５の下部およびピストン１６の下部は、カバー部１３で覆われておらず外部に露出している。なお、操作レバー１４を後方に移動させる前の待機状態では、ピストン１６のうち、操作レバー１４に連結された前部と、シリンダ１５内に位置する後部と、の間に位置する中間部分が操作レバー１４とシリンダ１５との間に位置し、この中間部分の下部がカバー部１３で覆われておらず外部に露出している。
【００１３】
そして、本実施形態では、ピストン１６の前記中間部分に、操作レバー１４の後方に向けた移動を規制する割リング状のストッパ部材２０が着脱可能に嵌合されている。図示の例では、ストッパ部材２０はＣ字状に形成され、周方向で分断された分断部分２０ａは周方向の隙間を有している。そして、ストッパ部材２０が、操作レバー１４とシリンダ１５とにより前後方向で挟み込まれることで、操作レバー１４の後方に向けた移動が規制されるようになっている。また、このストッパ部材２０の外周面には、その径方向の外側に向けて板状のつまみ片２１が一対突設されるとともに、これらのつまみ片２１は各先端部が互いに接近離間するように形成されている。
【００１４】
図示の例では、つまみ片２１は平面視長方形状に形成され、その長手方向がストッパ部材２０の径方向に沿って延在し、短手方向がストッパ部材２０の中心軸Ｏ方向に沿って延在している。また、つまみ片２１は、ストッパ部材２０の外周面において、前記分断部分２０ａに対して前記中心軸Ｏを挟んだ反対側に設けられている。なお図示の例では、一対のつまみ片２１それぞれの基端部同士の、周方向で互いに対向する側の間隔は、前記分断部分２０ａの隙間よりも小さくなっている。
【００１５】
さらに、一対のつまみ片２１同士の間の間隔は、その基端側から先端側に向かうに従い漸次広くなっている。また、図示の例では、ストッパ部材２０の外周面において、一対のつまみ片２１と前記分断部分２０ａとの間に位置する各部分には、凸片２２が突設されている。なお、この凸片２２の突出長さは、つまみ片２１の突出長さよりも短くなっている。また、ストッパ部材２０、つまみ片２１および凸片２２は一体に形成されている。
【００１６】
さらに、本実施形態では、カバー部１３には、ピストン１６の前記中間部分から取り外したストッパ部材２０が保持される保持部１９が形成されている。
ここで図示の例では、カバー部１３の後端壁１３ａにおける外面は、左右方向および上下方向の双方向に沿って延びる平坦面になっている。このカバー部１３の後端壁１３ａにおける外面の下部に、後方に向けて円柱状若しくは円筒状の保持部１９が突設されている。そして、この保持部１９にストッパ部材２０が着脱可能に嵌合されることで、保持部１９がストッパ部材２０を保持するようになっている。図示の例では、ストッパ部材２０は、つまみ片２１の先端部がカバー部１３の上端よりも上方に突出した状態で保持部１９に保持されるようになっている。なお、カバー部１３の後端壁１３ａにおける外面の下端部には、後方に向けて支持板部１３ｂが突設されている。また、この支持板部１３ｂの上面に保持部１９の下端が連結されている。
【００１７】
以上説明したように、本実施形態によるトリガー式液体噴出器１によれば、往復ポンプ１７におけるピストン１６の前記中間部分に、操作レバー１４の後方に向けた移動を規制するストッパ部材２０が着脱可能に嵌合されているので、操作レバー１４に不意に加えられた外力によって往復ポンプ１７が作動して内容液がノズル１２から噴出するのを防ぐことができる。
また、ストッパ部材２０が割リング状に形成されているので、ストッパ部材２０をピストン１６の前記中間部分に対して着脱する際に、ストッパ部材２０を弾性変形させ、該ストッパ部材２０の前記分断部分２０ａを拡げることで、この着脱を容易に行うことができる。
【００１８】
さらに、カバー部１３に保持部１９が形成されているので、ストッパ部材２０をピストン１６の前記中間部分から取り外してこのトリガー式液体噴出器１を使用しているときに、ストッパ部材２０を保持部１９に保持させることが可能になり、トリガー式液体噴出器１の使用時にストッパ部材２０を紛失するのを防ぐことができる。
また、ストッパ部材２０の外周面につまみ片２１が一対突設されているので、内容液を噴出した後に、例えば壁面等の被噴出箇所にゴミや虫等の付着物が付着していてこれを除去する必要が生じた場合に、保持部１９からストッパ部材２０を取り外し、一対のつまみ片２１を指で摘んでそれぞれの先端部を互いに接近させて前記付着物を挟み込み、この付着物を除去することができる。したがって、内容液を噴出した後に、被噴出箇所に付着した付着物を直ちに除去することが可能になる。
【００１９】
さらに本実施形態では、つまみ片２１が、ストッパ部材２０の外周面において、前記分断部分２０ａに対して前記中心軸Ｏを挟んだ反対側に設けられているので、一対のつまみ片２１それぞれの先端部が互いに接近するように、指で一対のつまみ片２１を摘んだときに、ストッパ部材２０を分断部分２０ａの隙間が拡がるように弾性変形させ易くすることが可能になる。したがって、ストッパ部材２０をピストン１６の前記中間部分に対してより一層容易に着脱することができるとともに、付着物を容易かつ確実に挟み込むことができる。
【００２０】
次に、本発明に係る第２実施形態について説明するが、前記第１実施形態と同一の部位には同一の符号を付してその説明を省略し、異なる点についてのみ説明する。
【００２１】
図３および図４に示されるように、ストッパ部材２０の外周面において、つまみ片２１と凸片２２との間に位置する各部分に、つまみ片２１に沿ってほぼ平行に延びる係合凸片２４が各別に突設されている。なお、係合凸片２４の長さは、つまみ片２１よりも短くなっている。また、係合凸片２４の表面のうちつまみ片２１の反対側を向く表面には係合突起が形成されている。
カバー部１３の後端壁２５には貫通孔（保持部）２５ａが形成されている。図示の例では、貫通孔２５ａの内周縁は、カバー部１３の後端壁２５の外面における外周縁よりも内側に位置している。
【００２２】
そして、ピストン１６の前記中間部分からストッパ部材２０を取り外した後に、貫通孔２５ａからカバー部１３の内部に一対のつまみ片２１を差し込んでいくと、凸片２２がカバー部１３の後端壁２５の外面に当接し、かつ係合凸片２４も貫通孔２５ａ内に差し込まれて前記係合突起がカバー部１３の後端壁２５の内面における貫通孔２５ａの開口周縁部に係合することで、ピストン１６の前記中間部分から取り外したストッパ部材２０が保持されるようになっている。
この際、図４に示されるように、カバー部１３内に位置する噴出器本体１１のうち最も後方に位置する吸い上げ筒部２３と、一対のつまみ片２１の先端と、の間には、前後方向の隙間が設けられるとともに、ストッパ部材２０、つまみ片２１、凸片２２および係合凸片２４のうち、ストッパ部材２０および凸片２２がカバー部１３の外側に露呈している。
【００２３】
以上説明したように、本実施形態によるトリガー式液体噴出器２によれば、図１および図２で示したトリガー式液体噴出器１と同様の作用効果が奏功されるのに加え、ストッパ部材２０をカバー部１３に保持させてトリガー式液体噴出器２を使用しているときに、つまみ片２１をカバー部１３の内部に収納しておくことが可能になり、この噴出器２の取り扱い性をより一層向上させることができるとともに、該噴出器２の使用時の見映えを向上させることができる。
【００２４】
なお、本発明の技術的範囲は前記実施の形態に限定されるものではなく、本発明の趣旨を逸脱しない範囲において種々の変更を加えることが可能である。
例えば前記第１実施形態では、保持部１９をカバー部１３の後端壁１３ａにおける外面に設けたが、これに代えて例えば、カバー部１３の上端部における外面に設ける等適宜変更してもよい。
また、凸片２２は設けなくてもよい。
【００２５】
また、前記第２実施形態では、貫通孔２５ａの内周縁を、カバー部１３の後端壁２５の外面における外周縁よりも内側に位置させ、つまみ片２１をカバー部１３の内部に差し込んだときに、凸片２２がカバー部１３の後端壁２５の外面に当接する構成を示したが、図５に示されるように、カバー部１３の後端壁２５の外面において貫通孔２５ａに左右方向で連なる各部分に収納凹部２５ｂを各別に形成し、つまみ片２１を貫通孔２５ａからカバー部１３の内部に差し込んだときに、凸片２２が収納凹部２５ｂ内に位置されるようにしてもよい。
この場合、ストッパ部材２０、つまみ片２１、凸片２２および係合凸片２４のうち、ストッパ部材２０における分断部分２０ａ側の部分だけがカバー部１３の外側に露呈することとなり、この噴出器２の取り扱い性をさらに向上させることができるとともに、該噴出器２の使用時の見映えをより一層向上させることができる。
さらにまた、収納凹部２５ｂの深さを図５に示される状態よりも深くすることで、ストッパ部材２０の全体をカバー部１３内に収納するようにしてもよく、この場合、ストッパ部材２０は、例えば凸片２２をつまんで後方に引くことで取り外すことができる。
【００２６】
また、噴出器本体１１の構成は前記実施形態に限らず適宜変更してもよい。
また、ストッパ部材２０は、前記実施形態に限らず例えば、Ｕ字状若しくはコ字状等適宜変更してもよい。
また、ストッパ部材２０の外周面において一対のつまみ片２１を設ける位置は、前記実施形態に限らず適宜変更してもよい。
また、前記第２実施形態では、吸い上げ筒部２３と一対のつまみ片２１の先端との間に前後方向の隙間が設けたが、これに代えて例えば、つまみ片２１の先端部を、カバー部１３の内面のうち左右方向を向く表面と吸い上げ筒部２３との間の隙間に挿入してもよい。
【００２７】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００２８】
ストッパ部材を紛失してしまうのを抑制することが可能になるとともに、被噴出箇所に付着した付着物を直ちに除去することができる。
【図面の簡単な説明】
【００２９】
【図１】本発明に係る第１実施形態として示したトリガー式液体噴出器の側面図である。
【図２】図１に示すトリガー式液体噴出器の斜視図である。
【図３】本発明に係る第２実施形態として示したトリガー式液体噴出器の斜視図である。
【図４】図３に示すトリガー式液体噴出器の一部破断上面図である。
【図５】本発明に係る他の実施形態として示したトリガー式液体噴出器の斜視図である。
【符号の説明】
【００３０】
１、２  トリガー式液体噴出器
１１  噴出器本体
１２  ノズル
１３  カバー部
１４  操作レバー
１５  シリンダ（非可動筒部）
１６  ピストン（可動部）
１７  往復ポンプ
１９  保持部
２０  ストッパ部材
２０ａ  分断部分
２１  つまみ片
２５ａ  貫通孔（保持部）
Ｏ  中心軸
【図１】
2010082510.tif 000003
【図２】
2010082510.tif 000004
【図３】
2010082510.tif 000005
【図４】
2010082510.tif 000006
【図５】
2010082510.tif 000007